(57)【要約】    【課題】  光路中における１／４波長位相板等の波長位相板の正確な位置決めを容易に行うことができる投射型表示装置及び光学装置を提供する。    【解決手段】  ライトバルブと、このライトバルブから射出された光を１／４波長位相板１８Ｇを介して入射する偏光ビームスプリッタプリズム１７Ｇとを備える投射型表示装置において、偏光ビームスプリッタプリズム１７Ｇの入射面側に取り付けられ、開口部を有する第１取り付け部材３３に、１／４波長位相板１８Ｇを開口部と対向するように保持する１／４波長位相板保持部材３２を、１／４波長位相板保持部材３２に設けられた複数の突起部３２３Ａ、３２３Ｂ、３２４Ａ、３２４Ｂ、３２４Ｃ、３２４Ｄを介して圧接した。【選択図】  図４
2005189591.tif 000002
【特許請求の範囲】
【請求項１】
ライトバルブと、このライトバルブから射出された光を波長位相板を介して入射するプリズム光学部材とを備える投射型表示装置において、
前記プリズム光学部材の入射面側に取り付けられ、開口部を有する第１取り付け部材と、
この第１取り付け部材に組み付けられ、前記波長位相板を前記開口部と対向するように保持する、波長位相板開口部を有する波長位相板保持部材とを備え、
前記第１取り付け部材と前記波長位相板保持部材との少なくとも一方に設けられた複数の突起部を介して、両部材が接している
ことを特徴とする投射型表示装置。
【請求項２】
前記第１取り付け部材の開口部の外周部に貫通穴が設けられ、
前記波長位相板保持部材に前記貫通穴に挿入される取り付け部が設けられ、
前記突起部は、前記波長位相板保持部材の前記波長位相板を保持する前記波長位相板開口部の外周部と、前記取り付け部とに配置されている
ことを特徴とする請求項１記載の投射型表示装置。
【請求項３】
前記第１取り付け部材の開口部の外周部に貫通穴が設けられ、
前記波長位相板保持部材に前記貫通穴に挿入される取り付け部が設けられ、
前記突起部は、前記第１取り付け部材の開口部の外周部と、前記第１取り付け部材の前記波長位相板保持部材の前記取り付け部に対向する部分とに配置されている
ことを特徴とする請求項１記載の投射型表示装置。
【請求項４】
前記プリズム光学部材は偏光ビームスプリッタであることを特徴とする請求項１〜３のいずれか１項記載の投射型表示装置。
【請求項５】
前記波長位相板は１／４波長位相板であることを特徴とする請求項１〜４のいずれか１項記載の投射型表示装置。
【請求項６】
波長位相板を経た光が入射する光学部品を備える光学装置において、
前記プリズム光学部材の入射面側に取り付けられ、開口部を有する第１取り付け部材と、
この第１取り付け部材に組み付けられ、前記波長位相板を前記開口部と対向するように保持する、波長位相板開口部を有する波長位相板保持部材とを備え、
前記第１取り付け部材と前記波長位相板保持部材との少なくとも一方に設けられた複数の突起部を介して、両部材が接している
ことを特徴とする光学装置。
【請求項７】
前記第１取り付け部材の開口部の外周部に貫通穴が設けられ、
前記波長位相板保持部材に前記貫通穴に挿入される取り付け部が設けられ、
前記突起部は、前記波長位相板保持部材の前記波長位相板を保持する前記波長位相板開口部の外周部と、前記取り付け部とに配置されている
ことを特徴とする請求項６記載の光学装置。
【請求項８】
前記第１取り付け部材の開口部の外周部に貫通穴が設けられ、
前記波長位相板保持部材に前記貫通穴に挿入される取り付け部が設けられ、
前記突起部は、前記第１取り付け部材の開口部の外周部と、前記第１取り付け部材の前記波長位相板保持部材の前記取り付け部に対向する部分とに配置されている
ことを特徴とする請求項６記載の光学装置。
【発明の詳細な説明】
【技術分野】
【０００１】
この発明は、投射型表示装置及び光学装置に関する。
【背景技術】
【０００２】
図７は従来の投射型表示装置の反射型ライトバルブと１／４波長位相板と偏光ビームスプリッタとの一体化方法を説明するための分解斜視図である。
【０００３】
この投射型表示装置では、反射型ライトバルブ１０９Ｇからの光が波長位相板である１／４波長位相板１０８Ｇを経て、プリズム光学部材である色合成光学系のクロスダイクロイックプリズム１１１に取り付け部材１１０Ｇを用いて一体化された偏光ビームスプリッタ１０７Ｇに入射する。
【０００４】
反射型ライトバルブ１０９Ｇと１／４波長位相板１０８Ｇと偏光ビームスプリッタ１０７Ｇとの一体化に用いられる一体化部材として、第１取り付け部材２０１と１／４波長位相板保持部材２０２とライトバルブ一体化部材２０３とが用いられる。
【０００５】
第１取り付け部材２０１は半田付け取り付け部２０１１Ｕ、２０１１Ｌと貫通穴２０１２Ｕ、２０１２Ｌと取り付け部２０１３Ｕ、２０１３Ｌと突起ボス部２０１４Ｕ、２０１４Ｌとを有する。突起ボス部２０１４Ｕ、２０１４Ｌは後述する円弧状穴２０２２Ｕ、２０２２Ｌに沿って移動可能である。
【０００６】
１／４波長位相板保持部材２０２には１／４波長位相板１０８Ｇが取り付けられている。１／４波長位相板保持部材２０２は保持部材２０２１Ｕ、２０２１Ｌと折り曲げ部２０２１ＵＴ、２０２１ＬＴと円弧状穴２０２２Ｕ、２０２２Ｌとを有する。
【０００７】
ライトバルブ一体化部材２０３には反射型ライトバルブ１０９Ｇが取り付けられている。ライトバルブ一体化部材２０３は取り付け部２０３１Ｕ、２０３１Ｌを有する。    
第１取り付け部材２０１の取り付け部２０１３Ｕ、２０１３Ｌは直接偏光ビームスプリッタ１０７Ｇの上下面にそれぞれ接着される。その結果、偏光ビームスプリッタ１０７Ｇと第１取り付け部材２０１とが一体化する。
【０００８】
１／４波長位相板保持部材２０２の保持部材２０２１Ｕ、２０２１Ｌは第１取り付け部材２０１の貫通穴２０１２Ｕ、２０１２Ｌにそれぞれ挿入される。また、円弧状穴２０２２Ｕ、２０２２Ｌには第１取り付け部材２０１の突起ボス部２０１４Ｕ、２０１４Ｌがそれぞれ挿入される。１／４波長位相板保持部材２０２を第１取り付け部材２０１に対して光軸周りに回転させることができる。
【０００９】
ライトバルブ一体化部材２０３の取り付け部２０３１Ｕ、２０３１Ｌは一体化された第１取り付け部材２０１の半田付け取り付け部２０１１Ｕ、２０１１Ｌにそれぞれ半田付けされる。その結果、偏光ビームスプリッタ１０７Ｇと第１取り付け部材２０１と１／４波長位相板保持部材２０２とライトバルブ一体化部材２０３とが一体化する。
【００１０】
ライトバルブ１０９Ｇに入射した光は、反射され、１／４波長位相板１０８Ｇ、偏光ビームスプリッタ１０７Ｇを経て検光され、観測される。ライトバルブ１０９Ｇが黒状態の時に、観測光の黒状態が最も良好で、コントラスト状態が良好となるように１／４波長位相板１０８Ｇを取り付けた１／４波長位相板保持部材２０２を光軸周りに回転させて前記コントラスト状態を観測する。最も良好なコントラスが得られる位置を見付けたとき、その位置で第１取り付け部材２０１と１／４波長位相板保持部材２０２とを接着する。
【特許文献１】特開２００２−２４４２０１
【特許文献２】特開２００２−２４４１０２
【特許文献３】特開２００２−２４４２０７
【発明の開示】
【発明が解決しようとする課題】
【００１１】
ライトバルブ１０９Ｇと偏光ビームスプリッタ１０７Ｇとの間の光路中における１／４波長位相板１０８Ｇの位置を決定するには、貫通穴２０１２Ｕ、２０１２Ｌに挿入した保持部材２０２１Ｕ、２０２１Ｌの先端部の直角に曲がった折り曲げ部２０２１ＵＴ、２０２１ＬＴを貫通穴２０１２Ｕ、２０１２Ｌの上、下部の外縁部に圧接させた状態で、１／４波長位相板保持部材２０２を回転させなくてはならない。
【００１２】
しかし、折り曲げ部２０２１ＵＴ、２０２１ＬＴ（保持部材２０２）と第１取り付け部材２０１とは互いに平面同士で圧接しているので、１／４波長位相板保持部材２０２を光軸周りに回転させ難い。
【００１３】
これに対し、保持部材２０２と第１取り付け部材２０１との間の接触力を弱めて１／４波長位相板保持部材２０２を回転させた場合、１／４波長位相板１０８Ｇの位置が偏光ビームスプリッタ１０７Ｇ側にずれてしまうため、良好なコントラスト状態を確保するのは困難である。
【００１４】
この発明はこのような事情に鑑みてなされたもので、光路中における１／４波長位相板等の波長位相板の正確な位置決めを容易に行うことができる投射型表示装置及び光学装置を提供することである。
【課題を解決するための手段】
【００１５】
請求項１記載の発明は、ライトバルブと、このライトバルブから射出された光を波長位相板を介して入射するプリズム光学部材とを備える投射型表示装置において、前記プリズム光学部材の入射面側に取り付けられ、開口部を有する第１取り付け部材と、この第１取り付け部材に組み付けられ、前記波長位相板を前記開口部と対向するように保持する波長位相板開口部を有する波長位相板保持部材とを備え、前記第１取り付け部材と前記波長位相板保持部材との少なくとも一方に設けられた複数の突起部を介して、両部材が接していることを特徴とする。
【００１６】
請求項２記載の発明は、請求項１記載の投射型表示装置において、前記第１取り付け部材の開口部の外周部に貫通穴が設けられ、前記波長位相板保持部材に前記貫通穴に挿入される取り付け部が設けられ、前記突起部は、前記波長位相板保持部材の前記波長位相板を保持する前記波長位相板開口部の外周部と、前記取り付け部とに配置されていることを特徴とする。
【００１７】
請求項３記載の発明は、請求項１記載の投射型表示装置において、前記第１取り付け部材の開口部の外周部に貫通穴が設けられ、前記波長位相板保持部材に前記貫通穴に挿入される取り付け部が設けられ、前記突起部は、前記第１取り付け部材の開口部の外周部と、前記第１取り付け部材の前記波長位相板保持部材の前記取り付け部に対向する部分とに配置されていることを特徴とする。
【００１８】
請求項４記載の発明は、請求項１〜３のいずれか１項記載の投射型表示装置において、前記プリズム光学部材は偏光ビームスプリッタであることを特徴とする。
【００１９】
請求項５記載の発明は、請求項１〜４のいずれか1項記載の投射型表示装置において、前記波長位相板は１／４波長位相板であることを特徴とする。
【００２０】
請求項６記載の発明は、波長位相板を経た光が入射する光学部品を備える光学装置において、前記プリズム光学部材の入射面側に取り付けられ、開口部を有する第１取り付け部材と、この第１取り付け部材に組み付けられ、前記波長位相板を前記開口部と対向するように保持する波長位相板開口部を有する波長位相板保持部材とを備え、前記第１取り付け部材と前記波長位相板保持部材との少なくとも一方に設けられた複数の突起部を介して、両部材が接していることを特徴とする。
【００２１】
請求項７記載の発明は、請求項６記載の光学装置において、前記第１取り付け部材の開口部の外周部に貫通穴が設けられ、前記波長位相板保持部材に前記貫通穴に挿入される取り付け部が設けられ、前記突起部は、前記波長位相板保持部材の前記波長位相板を保持する前記波長位相板開口部の外周部と、前記取り付け部とに配置されていることを特徴とする。
【００２２】
請求項８記載の発明は、請求項６記載の光学装置において、前記第１取り付け部材の開口部の外周部に貫通穴が設けられ、前記波長位相板保持部材に前記貫通穴に挿入される取り付け部が設けられ、前記突起部は、前記第１取り付け部材の開口部の外周部と、前記第１取り付け部材の前記波長位相板保持部材の前記取り付け部に対向する部分とに配置されていることを特徴とする。
【発明の効果】
【００２３】
この発明によれば、光路中における１／４波長位相板等の波長位相板の正確な位置決めを容易に行うことができる。
【発明を実施するための最良の形態】
【００２４】
以下、この発明の実施の形態を図面に基づいて説明する。
【００２５】
図１はこの発明の第１実施形態に係る投射型表示装置の基本構成を示す図である。
【００２６】
この投射型表示装置は、波長位相板としての１／４波長位相板（波長位相板）１８Ｂ、１８Ｇ、１８Ｒと、プリズム光学部材としての偏光ビームスプリッタ（プリズム光学部材）１７Ｂ、１７Ｇ、１７Ｒと、ライトバルブとしての反射型ライトバルブ１９Ｂ、１９Ｇ、１９Ｒとを一体化した構成を有する。
【００２７】
この投射型表示装置は光源１１と色分解変調合成光学系Ｃと投射レンズ２２とを備える。
【００２８】
光源１１はランプと凹面鏡とからなる。
【００２９】
色分解変調合成光学系Ｃは、クロスダイクロイックミラー１２と偏向ミラー１３、１４とダイクロイックミラー１５とフィールドレンズ１６Ｂ、１６Ｇ、１６Ｒと偏光ビ−ムスプリッタ１７Ｂ、１７Ｇ、１７Ｒと１／４波長位相板１８Ｂ、１８Ｇ、１８Ｒと反射型ライトバルブ１９Ｂ、１９Ｇ、１９Ｒと光路長補正部材２０Ｂ、２０Ｇ、２０Ｒとクロスダイクロイックプリズム２１とを備えている。
【００３０】
クロスダイクロイックミラー１２は、Ｂ（青）光を反射し、Ｒ（赤）光とＧ（緑）光とを透過させる特性を有するダイクロイックミラー１２Ｂと、Ｒ光とＧ光とを反射し、Ｂ光を透過させる特性を有するダイクロイックミラー１２ＲＧとを、互いに直交するように配置してなる。
【００３１】
クロスダイクロイックミラー１２は、入射する光源光を、入射光軸に直交するとともに、互いに反対方向に進行するＢ光と、Ｒ光とＧ光との混合光とに色分解する。
【００３２】
偏向ミラー１４は色分解されたＢ光の進行方向を変える。偏向ミラー１３は色分解されたＲ光とＧ光との混合光の進行方向を変える。
【００３３】
ダイクロイックミラー１５は光軸上に斜めに配置され、Ｇ光を反射し、Ｒ光を透過させる特性を有する。
【００３４】
フィールドレンズ１６Ｂ、１６Ｇ、１６Ｒは投射レンズ２２の開口絞り（図示せず）によって定義される主光線が、投射レンズ２２とフィールドレンズ１６Ｂ、１６Ｇ、１６Ｒとの間の光路中において光軸に平行になる、すなわちテレセントリックな関係を保証する。
【００３５】
偏光ビ−ムスプリッタ１７Ｂ、１７Ｇ、１７Ｒに入射した光は偏光分離部によって反射され、射出面から射出される。また、偏光ビ−ムスプリッタ１７Ｂ、１７Ｇ、１７Ｒは反射型ライトバルブ１９Ｂ、１９Ｇ、１９Ｒで反射された光を偏光分離部を透過する変調光と偏光分離部で反射する非変調光とに偏光分離し、検光光学系として機能する。
【００３６】
反射型ライトバルブ１９Ｂ、１９Ｇ、１９Ｒは入射した光のうちの色信号によって決定される選択された画素に該当する部分に入射する光だけを振動方向が直交する偏光に変換して変調光として反射する。
【００３７】
１／４波長位相板１８Ｂ、１８Ｇ、１８Ｒは検光光のコントラストの向上を目的として配置される。１／４波長位相板１８Ｂ、１８Ｇ、１８Ｒを光軸周りに回転させてコントラストが良好になるように調節してその位置を決定する。
【００３８】
光源１１から射出された光源光はクロスダイクロイックミラー１２に入射する。クロスダイクロイックミラー１２で色分解されたＢ光は偏向ミラー１４で進行方向を変え、フィールドレンズ１６Ｂを経て偏光ビ−ムスプリッタ１７Ｂに入射する。
【００３９】
一方、クロスダイクロイックミラー１２で色分解されたＲ光とＧ光との混合光は偏向ミラー１３で進行方向を変え、ダイクロイックミラー１５に入射する。ダイクロイックミラー１５に入射した光はダイクロイックミラー１５を透過して進行するＲ光とダイクロイックミラー１５で反射されて進行するＧ光とに色分解される。
【００４０】
色分解されたＲ光はフィールドレンズ１６Ｒを経て偏光ビ−ムスプリッタ１７Ｒに入射する。
【００４１】
一方、色分解されたＧ光はフィールドレンズ１６Ｇを経て偏光ビ−ムスプリッタ１７Ｇに入射する。
【００４２】
各色光毎に配置された偏光ビームスプリッタ１７Ｂ、１７Ｇ、１７Ｒに入射した各色光は偏光分離部で反射されて射出面から射出され、射出面近傍に配置された１／４波長位相板１８Ｂ、１８Ｇ、１８Ｒを経て各色光毎に配置された反射型ライトバルブ１９Ｂ、１９Ｇ、１９Ｒにそれぞれ入射する。
【００４３】
反射型ライトバルブ１９Ｂ、１９Ｇ、１９Ｒで反射された光は１／４波長位相板１８Ｂ、１８Ｇ、１８Ｒを経て再度偏光ビームスプリッタ１７Ｂ、１７Ｇ、１７Ｒに入射し、変調光を偏光分離部を透過して進行する光として取り出される（検光）。
【００４４】
各色光の検光された変調光は偏光ビームスプリッタ１７Ｂ、１７Ｇ、１７Ｒの射出面とクロスダイクロイックプリズム２１の入射面との間に配置された光路長補正部材２０Ｂ、２０Ｇ、２０Ｒを経てクロスダイクロイックプリズム２１にそれぞれ異なる入射面から入射する。
【００４５】
クロスダイクロイックプリズム２１に入射したＢ光の検光光はＢ光反射ダイクロイック膜２１Ｂで反射され、Ｒ光の検光光はＲ光反射ダイクロイック膜２１Ｒで反射され、Ｇ光は両光反射ダイクロイック膜２１Ｂ、２１Ｒを透過し、色合成されて射出面から射出される。
【００４６】
クロスダイクロイックプリズム２１からの合成光が投射レンズ２２に入射し、図示しないスクリ−ン上にフルカラーの投射像が拡大投射される。
【００４７】
図２は投射型表示装置の反射型ライトバルブと１／４波長位相板と偏光ビームスプリッタとの一体化方法を説明するための分解斜視図、図３は１／４波長位相板を取り付けた１／４波長位相板保持部材をライトバルブ側から見た図である。
【００４８】
なお、図２にはＧ光用の一体化部材だけが示されているが、図示しない他色光用の一体化部材も同様の構成である。
【００４９】
反射型ライトバルブ１９Ｇと１／４波長位相板１８Ｇと偏光ビームスプリッタ１７Ｇとの一体化に用いられる一体化部材として、第１取り付け部材３３と１／４波長位相板保持部材（波長位相板保持部材）３２とライトバルブ一体化部材３１とが用いられる。
【００５０】
まず、偏光ビームスプリッタ１７Ｇに取り付けられる第１取り付け部材３３について説明する。
【００５１】
第１取り付け部材３３の中央部には光の通過を担保する長方形形状の開口部が形成されている。開口部の外周部の上下にはそれぞれ開口部に対して直角に曲げた取り付け部３３３Ｕ、３３３Ｌが互いに平行に形成されている。取り付け部３３３Ｕ、３３３Ｌで偏光ビームスプリッタ１７Ｇの上下面をそれぞれ挟み込み、接着剤を用いて偏光ビームスプリッタ１７Ｇと第１取り付け部材３３とを一体化させる。
【００５２】
第１取り付け部材３３の取り付け部３３３Ｕ、３３３Ｌの上部及び下部には、１／４波長位相板１８Ｇが取り付けられた１／４波長位相板保持部材３２の後述する取り付け部３２１Ｕ、３２１Ｌをそれぞれ挿入するための貫通穴３３２Ｕ、３３２Ｌがそれぞれ形成されている。
【００５３】
また、取り付け部３３３Ｕ、３３３Ｌの上部及び下部には、それぞれ後述のライトバルブ１９Ｇが取り付けられたライトバルブ一体化部材３１の半田取り付け部３１１Ｕ、３１１Ｌが半田付けされる取り付け部分３３１Ｕ、３３１Ｌが、それぞれ形成されている。
【００５４】
更に、１／４波長位相板１８Ｇの光軸の位置を決定するため、第１取り付け部材３３の一方の側面（偏光ビームスプリッタ１７Ｇと反対側の面）には、１／４波長位相板保持部材３２を光軸周りに回転させるために形成された円弧状穴３２２Ｕ、３２２Ｌに挿入する突起ボス部３３４Ｕ、３３４Ｌが形成されている。
【００５５】
次に、１／４波長位相板保持部材３２の構造について説明する。
【００５６】
１／４波長位相板保持部材３２の中央部には光の通過を担保する開口部（波長位相板開口部）が形成されている。開口部の外周部には前述の円弧状穴３２２Ｕ、３２２Ｌが形成されている。また、開口部の外周部の上下には、第１取り付け部材３３の開口部３３２Ｕ、３３２Ｌに挿入される取り付け部３２１Ｕ、３２１Ｌが上方及び下方へ延びるように形成されている。取り付け部３２１Ｕ、３２１Ｌはクランク状であり、偏光ビームスプリッタ１７Ｇ側に突出している。
【００５７】
更に、１／４波長位相板保持部材３２の開口部の外周部の４箇所には、平面に対して略点接触すると見なすことができる球形状の突起部３２４Ａ、３２４Ｂ、３２４Ｃ，３２４Ｄが形成されている。突起部３２４Ａ、３２４Ｂ、３２４Ｃ，３２４Ｄは開口部の外周部の偏光ビームスプリッタ１７Ｇ側に突出する。突起部３２４Ａ、３２４Ｂ、３２４Ｃ，３２４Ｄの高さは同じである。
【００５８】
また、取り付け部３２１Ｕ、３２１Ｌの先端部の平面部には、それぞれ平面に対して略点接触すると見なすことができる球形状の突起部３２３Ａ、３２３Ｂが形成されている。突起部３２３Ａ、３２３Ｂは取り付け部３２１Ｕ、３２１Ｌの先端平面部の偏光ビームスプリッタ１７Ｇとは反対側のライトバルブ１９Ｇ側に突出する。突起部３２３Ａ、３２３Ｂの高さは同じである。
【００５９】
突起部３２４Ａ、３２４Ｂ、３２４Ｃ，３２４Ｄ，３２３Ａ、３２３Ｂを加工するには、例えば球形状の凸部を形成する面の反対面に所定の工具を当てて押し込めばよい。その結果、先端部が球形状の凸部、すなわち突起部３２４Ａ等が形成される。反対面側には当然に凹部が形成されるが、その凹部によって問題は発生しない。
【００６０】
ライトバルブ一体化部材３１は、反射型ライトバルブ１９Ｇが取り付けられたライトバルブ保持面部と、ライトバルブ保持面部から偏光ビームスプリッタ１７Ｇ側にそれぞれ斜め前方向に延びる傾斜面と、傾斜面の先端部にライトバルブ保持面部と平行になるように折り曲げられた半田取り付け部３１１Ｕ、３１１Ｌとを有する。
【００６１】
１／４波長位相板保持部材３２は、取り付け部３２１Ｕ、３２１Ｌを第１取り付け部材３３の貫通穴３３２Ｕ、３３２Ｌにそれぞれ挿入することによって、第１取り付け部材３３に仮固定される。このとき、突起部３２３Ａ、３２３Ｂと突起部３２４Ａ、３２４Ｂ、３２４Ｃ、３２４Ｄとを介して１／４波長位相板保持部材３２が第１取り付け部材３３に圧接される。
【００６２】
１／４波長位相板保持部材３２の開口部の外周部に沿って１／４波長位相板位置決め突起部３２５Ａ、３２５Ｂ、３２５Ｃ，３２５Ｄ，３２５Ｅ，３２５Ｆが形成されている。１／４波長位相板位置決め突起部３２５Ａ、３２５Ｂ、３２５Ｃ，３２５Ｄ，３２５Ｅ，３２５Ｆによって形成される仮想矩形部は１／４波長位相板１８Ｇの大きさにほぼ等しい。
【００６３】
１／４波長位相板１８Ｇの１／４波長位相板保持部材３２への取り付けは、１／４波長位相板１８Ｇを１／４波長位相板位置決め突起部３２５Ａ、３２５Ｂ、３２５Ｃ，３２５Ｄ，３２５Ｅ，３２５Ｆを目印にして開口部を覆うように配置し、接着剤で開口部の外周部に固定することによって行われる（図３参照）。
【００６４】
次に、ライトバルブ一体化部材３１の半田取り付け部３１１Ｕ、３１１Ｌを第１取り付け部３３の半田取り付け部３３１Ｕ、３３１Ｌにそれぞれ半田付けして、第１取り付け部材３３とライトバルブ一体化部材３１とを一体化させる。その際、各色光の反射型ライトバルブ１９Ｇ、１９Ｒ、１９Ｂの画素の位置の一致した状態であるレジストレーションを達成した状態で一体化させることは言うまでもない。
【００６５】
図４は第１取り付け部材と１／４波長位相板保持部材とライトバルブ一体化部材とを一体化させた状態を示す側面図である。
【００６６】
図４に示すように、１／４波長位相板保持部材３２の一方の面に形成された突起部３２３Ａ、３２３Ｂと他方の面に形成された突起部３２４Ａ、３２４Ｂ、３２４Ｃ、３２４Ｄとを介して第１取り付け部材３３と１／４波長位相板保持部材３２とが圧接している。この状態において、ライトバルブ１７Ｇを黒状態として、１／４波長位相板保持部材３２を光軸周りに回転させて投射像を観測し、観測光の黒状態が最も良好で、コントラストが良好となる位置で１／４波長位相板保持部材３２を仮固定し、その位置で第１取り付け部材３３と１／４波長位相板保持部材３２とを接着剤で一体化させる。
【００６７】
この実施形態によれば、１／４波長位相板保持部材３２は第１取り付け部材３３に対して先端部が球形の突起部３２３Ａ、３２３Ｂ、３２４Ａ、３２４Ｂ、３２４Ｃ、３２４Ｄを介して接触するので、１／４波長位相板１８Ｇを光軸周りに滑らかに回転させることができ、１／４波長位相板保持部材３２の位置を容易に決定することができる。また、１／４波長位相板１８Ｇを回転させたとき、従来例のように、１／４波長位相板１８Ｇの位置が偏光ビームスプリッタ１７Ｇ側にずれることがなく、良好なコントラストを有する投射像を得ることができる。
【００６８】
図５はこの発明の第２実施形態に係る投射型表示装置の反射型ライトバルブと１／４波長位相板と偏光ビームスプリッタとの一体化方法を説明するための分解斜視図、図６は第１取り付け部材と１／４波長位相板保持部材とライトバルブ一体化部材とを一体化した状態を示す側面図であり、第１実施形態と共通する部分には同一符号を付してその説明を省略する。
【００６９】
この実施形態は先端部が球形状の突起部を第１取り付け部材３３の平面部に形成した点で第１実施形態と相違する。
【００７０】
第１取り付け部材３３の開口部の外周部の４箇所に、先端部が平面に対して略点接触するとみなすことができる球形状の突起部３３４Ａ、３３４Ｂ、３３４Ｃ、３３４Ｄが形成されている。突起部３３４Ａ、３３４Ｂ、３３４Ｃ、３３４Ｄは偏光ビームスプリッタ１７Ｇと反対側に突出する。突起部３３４Ａ、３３４Ｂ、３３４Ｃ、３３４Ｄの高さは同じである。
【００７１】
また、第１取り付け部材３３の貫通穴３３２Ｕの上部及び貫通穴３３２Ｌの下部に、それぞれ１箇所ずつ先端部が平面に対して略点接触するとみなすことができる球形状の突起部３３３Ａ、３３３Ｂが形成されている。突起部３３３Ａ、３３３Ｂは偏光ビームスプリッタ１７Ｇ側に突出する。突起部３３３Ａ、３３３Ｂの高さは同じである。
【００７２】
１／４波長位相板保持部材３２は、取り付け部３２１Ｕ、３２１Ｌを第１取り付け部材３３の貫通穴３３２Ｕ、３３２Ｌにそれぞれ挿入することによって、第１取り付け部材３３に仮固定される。このとき、第１取り付け部材３３と１／４波長位相板保持部材３２とが突起部３３３Ａ、３３３Ｂ、３３４Ａ、３３４Ｂ、３３４Ｃ、３３４Ｄを介して圧接する。
【００７３】
図６に示すように、第１取り付け部材３３の一方の面に形成された突起部３３４Ａ、３３４Ｂ、３３４Ｃ、３３４Ｄと他方の面に形成された突起部３３３Ａ、３３３Ｂとを介して第１取り付け部材３３と１／４波長位相板保持部材３２とが圧接している。この状態において、ライトバルブ１７Ｇを黒状態として、１／４波長位相板保持部材３２を光軸周りに回転させて投射像を観測し、観測光の黒状態が最も良好で、コントラストが良好となる位置で１／４波長位相板保持部材３２を仮固定し、その位置で第１取り付け部材３３に１／４波長位相板保持部材３２を接着剤で固定する。
【００７４】
この実施形態によれば、第１実施形態と同様の効果を奏する。
【００７５】
なお、突起部を形成する位置は上記各実施形態の位置に限られるものではなく、突起部を例えば１／４波長位相板保持部材３２の開口部の外周部と第１取り付け部材部材３３の貫通穴３３２Ｕの上下とに分けて形成したり、第１取り付け部材３３の開口部の外周部と１／４波長位相板保持部材３２の取り付け部３２１Ｕ、３２１Ｌの上下とに分けて形成したりしてもよい。
【００７６】
また、開口部の外周部に形成する突起部３２４Ａ〜３２４Ｄ（３３４Ａ〜３３４Ｄ）の数は４個に限られるものではなく、所定の高さを有していれば、例えば３個であっても５個以上であってもよい。  
更に、投射型表示装置は図１に示した構成の投射型表示装置に限定されない。例えば、光源光を偏光ビームスプリッタを経て射出し、色分解合成光学系を構成する複合プリズムで色分解してそれぞれの色光を１／４波長位相板を経て反射型ライトバルブに入射させ、変調して射出し、再度１／４波長位相板を経て色分解合成光学系で色合成し、偏光ビームスプリッタで変調光だけを取り出し、投射レンズで投射する構成の投射型表示装置であってもよい。上記各実施形態と同様の構成を有する、複合プリズム、１／４波長位相板及び反射型ライトバルブを一体化すれば同様の効果を奏することができる。なお、色分解合成光学系の光学設計によっては波長位相板は１／４波長位相板に限定されず、他の波長位相板であってもよい。
【００７７】
また、反射型ライトバルブから射出された光を波長位相板を経てプリズム光学部材等の光学部品に入射させ、光学部品を経て投射レンズに入射させて投射する構成の投射型表示装置に、上記実施形態と同様に１／４波長位相板とプリズム光学部材とを一体化したものを使用すれば同様の効果を奏することができる。
【００７８】
更に、上記各実施形態は、反射型ライトバルブから射出された光を１／４波長位相板を経て偏光ビームスプリッタに入射させる構成の投射型表示装置において、１／４波長位相板と偏光ビームスプリッタとを一体化部材を用いて一体化するものであるが、この発明の適用範囲を投射型表示装置に限定するものではない。この発明を波長位相板を経た光を光学部品に入射させる構成を有する光学装置に適用することもでき、それによって波長位相板の光学軸の最適な位置の決定法に関して同様の効果を奏することができる。
【図面の簡単な説明】
【００７９】
【図１】図１はこの発明の第１実施形態に係る投射型表示装置の基本構成を示す図である。
【図２】図２は投射型表示装置の反射型ライトバルブと１／４波長位相板と偏光ビームスプリッタとの一体化方法を説明するための分解斜視図である。
【図３】図３は１／４波長位相板を取り付けた１／４波長位相板保持部材をライトバルブ側から見た図である。
【図４】図４は第１取り付け部材と１／４波長位相板保持部材とライトバルブ一体化部材とを一体化させた状態を示す側面図である。
【図５】図５はこの発明の第２実施形態に係る投射型表示装置の反射型ライトバルブと１／４波長位相板と偏光ビームスプリッタとの一体化方法を説明するための分解斜視図である。
【図６】図６は第１取り付け部材と１／４波長位相板保持部材とライトバルブ一体化部材とを一体化した状態を示す側面図である。
【図７】図７は従来の投射型表示装置の反射型ライトバルブと１／４波長位相板と偏光ビームスプリッタとの一体化方法を説明するための分解斜視図である。
【符号の説明】
【００８０】
１７Ｒ、１７Ｇ、１７Ｂ  偏光ビームスプリッタ（プリズム光学部材）
１８Ｒ、１８Ｇ、１８Ｂ  １／４波長位相板（波長位相板）
１９Ｒ、１９Ｇ、１９Ｂ  反射型ライトバルブ（ライトバルブ）
３１  ライトバルブ一体化部材
３２  １／４波長位相板保持部材（波長位相板保持部材）
３３  第１取り付け部材
３２３Ａ、３２３Ｂ、３２４Ａ、３２４Ｂ、３２４Ｃ、３２４Ｄ、３３３Ａ、３３３Ｂ、３３４Ａ、３３４Ｂ、３３４Ｃ，３３４Ｄ  突起部
３３２Ｕ、３３２Ｌ  貫通穴
【図１】
2005189591.tif 000003
【図２】
2005189591.tif 000004
【図３】
2005189591.tif 000005
【図４】
2005189591.tif 000006
【図５】
2005189591.tif 000007
【図６】
2005189591.tif 000008
【図７】
2005189591.tif 000009